(57)【要約】      （修正有）【課題】和胡桃を対象に、内部の実を比較的大きな状態で取り出せるように殻を割ることのできる和胡桃用の殻割器を提供する。【解決手段】和胡桃用の殻割器１は、所定位置に配置された和胡桃における殻の最大径となる位置よりも尻部側の位置で殻の合わせ目に対して交差する方向に延びる割り目を殻の全周又は略全周に亘って入れる第一殻割刃２０と、所定位置に配置された和胡桃における殻の頭頂部側に対して少なくとも合わせ目に沿った割り目を入れる第二殻割刃３０とを備える。【選択図】図４
2018196482.tif 000002
【特許請求の範囲】
【請求項１】
先細りした頭頂部及び該頭頂部の反対側の尻部を有し且つ頭頂部と尻部との間で最大径となる殻であって、頭頂部及び尻部を通るように外周面上に合わせ目が形成されるとともに、尻部側の内周に接続されて合わせ目に対して交差する方向に延びる隔壁を含む殻と、隔壁を取り囲むように殻内に位置する実とを含む和胡桃用の殻割器において、
所定位置に配置された和胡桃における殻の最大径となる位置よりも尻部側の位置で該殻の合わせ目に対して交差する方向に延びる割り目を殻の全周又は略全周に亘って入れる第一殻割刃を含む第一殻割部と、
所定位置に配置された和胡桃における殻の頭頂部側に対して少なくとも合わせ目に沿った割り目を入れる第二殻割刃を含む第二殻割部とを備えることを特徴とする和胡桃用の殻割器。
【請求項２】
第二殻割部において、第二殻割刃は、直線状の刃先を有し、該刃先が所定位置に配置された和胡桃の合わせ目に沿った第一姿勢と、該刃先が所定位置に配置された和胡桃の合わせ目と交差する方向に延びる第二姿勢とに姿勢変更可能に設けられるとともに、第一姿勢及び第二姿勢のそれぞれにおいて、所定位置に配置された和胡桃に対して押し付け可能に構成される請求項１に記載の和胡桃用の殻割器。
【請求項３】
第二殻割部は、殻の頭頂部側に対して少なくとも合わせ目に対して直交又は略直交する方向に延びる割り目を入れる第三殻割刃をさらに備える請求項１に記載の和胡桃用の殻割器。
【請求項４】
第一殻割部は、複数の第一殻割刃を含み、
複数の第一殻割刃のそれぞれは、所定位置に配置された和胡桃の周囲に配置されるとともに、所定位置に配置される和胡桃の殻の合わせ目と交差する方向に延びる刃先を有し、所定位置にある和胡桃の殻に押し付け可能に構成される請求項１乃至３の何れか１項に記載の和胡桃用の殻割器。
【請求項５】
先細りした頭頂部及び該頭頂部の反対側の尻部を有し且つ頭頂部と尻部との間で最大径となる殻であって、頭頂部及び尻部を通るように外周面上に合わせ目が形成されるとともに、尻部側の内周に接続されて合わせ目に対して交差する方向に延びる隔壁を含む殻と、隔壁を取り囲むように殻内に位置する実とを備えた和胡桃の殻割り方法において、
和胡桃における殻の最大径となる位置よりも尻部側の位置で該殻の合わせ目に対して交差する方向に延びる割り目を殻の全周又は略全周に亘って入れる工程と、
和胡桃における殻の頭頂部側に対して少なくとも合わせ目に沿った割り目を入れる工程とを含むことを特徴とする和胡桃の殻割り方法。
【請求項６】
殻の頭頂部側に対して少なくとも合わせ目に対して直交又は略直交する方向に延びる割り目を入れる工程をさらに含む請求項５に記載の和胡桃の殻割り方法。
【発明の詳細な説明】
【技術分野】
【０００１】
本発明は、胡桃の殻を割るための殻割器及び胡桃の殻割り方法に関し、より詳しくは、和胡桃（例えば、鬼胡桃等の和製の胡桃）の殻を割るための和胡桃用の殻割器及び和胡桃の殻割り方法に関する。
【背景技術】
【０００２】
従来から、胡桃の殻を割るための殻割器が提供されている。かかる殻割器には、種々タイプのものがあり、例えば、胡桃の殻に衝撃を与える打撃式のもの（特許文献１参照）や、胡桃の殻を圧縮する圧縮式のもの（特許文献２参照）、胡桃の殻の合わせ目に刃物を押し込む刃物式のもの（特許文献３参照）がある。
【０００３】
打撃式の殻割器や圧縮式の殻割器は、胡桃の殻全体に衝撃力或いは圧縮力を与えることで、胡桃の殻を破砕する。これに対し、刃物式の殻割器は、胡桃の殻の合わせ目に刃物を沿わせた状態で該刃物を胡桃に押し当てることで、胡桃の殻を合わせ目に沿って分割する。
【０００４】
これにより、これらの殻割器は、硬い殻内にある実を簡便に取り出せるとしている。
【０００５】
ところで、胡桃には、洋胡桃と和胡桃とがある。洋胡桃においては、殻内の実は、殻との間に隙間を形成した状態で存在する。すなわち、洋胡桃の実は、殻と分離しており、殻内で移動可能な状態で存在する。そのため、洋胡桃では、上記の殻割器を用いて殻を割るときの力が殻内の実に直接作用し難く、比較的原型に近い形で実を取り出すことができる。
【０００６】
これに対し、和胡桃の実は、殻に密着して存在する。また、和胡桃の殻は、内部に隔壁を有し、実が隔壁を抱きかかえた状態で存在する。
【０００７】
そのため、上記殻割器を用いて和胡桃の殻を割ろうとすると、殻を割るときの力が殻内の実に直接作用してしまい、実が細かく砕かれてしまう。
【０００８】
従って、従来の殻割器では、和胡桃を対象とした場合、洋胡桃のように実を大きな状態で取り出すことができない。
【先行技術文献】
【特許文献】
【０００９】
【特許文献１】特開２０１６−２２３６１号公報
【特許文献２】実用新案登録第３１８４４１８号公報
【特許文献３】実開平５−６０４３６号公報
【発明の概要】
【発明が解決しようとする課題】
【００１０】
本発明は、和胡桃を対象に、内部の実を比較的大きな状態で取り出せるように殻を割ることのできる和胡桃用の殻割器及び和胡桃の殻割り方法を提供することを課題とする。
【課題を解決するための手段】
【００１１】
本発明に係る和胡桃用の殻割器は、先細りした頭頂部及び該頭頂部の反対側の尻部を有し且つ頭頂部と尻部との間で最大径となる殻であって、頭頂部及び尻部を通るように外周面上に合わせ目が形成されるとともに、尻部側の内周に接続されて合わせ目に対して交差する方向に延びる隔壁を含む殻と、隔壁を取り囲むように殻内に位置する実とを含む和胡桃用の殻割器において、所定位置に配置された和胡桃における殻の最大径となる位置よりも尻部側の位置で該殻の合わせ目に対して交差する方向に延びる割り目を殻の全周又は略全周に亘って入れる第一殻割刃を含む第一殻割部と、所定位置に配置された和胡桃における殻の頭頂部側に対して少なくとも合わせ目に沿った割り目を入れる第二殻割刃を含む第二殻割部とを備えることを特徴とする。
【００１２】
上記構成によれば、第一殻割部において、第一殻割刃で和胡桃の殻を二分割するのに併せ、殻の内部にある隔壁の厚みの厚い部分と厚みの薄い部分とに分割できる。さらに、第二殻割部において、第二殻割刃で、和胡桃の殻を第一殻割部で分割する方向と異なる方向で分割するのに併せ、殻の内部にある隔壁の少なくとも厚みの厚い部分を分割できる。これにより、和胡桃の実が殻の内部にある隔壁を取り囲んで存在していたとしても、実と殻とを分離するのに併せ、実と隔壁とを分離できる。従って、上記構成の殻割器を用いることで、和胡桃の実を比較的大きな状態で取り出すことができる。
【００１３】
本発明の一態様として、第二殻割部において、第二殻割刃は、直線状の刃先を有し、該刃先が所定位置に配置された和胡桃の合わせ目に沿った第一姿勢と、該刃先が所定位置に配置された和胡桃の合わせ目と交差する方向に延びる第二姿勢とに姿勢変更可能に設けられるとともに、第一姿勢及び第二姿勢のそれぞれにおいて、所定位置に配置された和胡桃に対して押し付け可能に構成されてもよい。
【００１４】
このようにすれば、第二殻割部において、第一姿勢の第二殻割刃で、和胡桃の殻を第一殻割部で分割した方向と異なる方向で分割するのに併せ、殻の内部にある隔壁の少なくとも厚みの厚い部分を分割できる。また、上記構成の殻割器は、第二殻割部において、第二姿勢の第二殻割刃で、和胡桃の殻を第一姿勢の第二殻割刃で分割した方向と異なる方向で分割するのに併せ、殻の内部にある隔壁の少なくとも厚みの厚い部分を分割できる。これにより、殻内の隔壁がより細分化されるため、実と殻とを分離するのに併せ、実と隔壁とを容易に分離することができる。従って、上記構成の殻割器を用いることで、和胡桃の実を比較的大きな状態でより簡単に取り出すことができる。
【００１５】
本発明の他態様として、第二殻割部は、殻の頭頂部側に対して少なくとも合わせ目に対して直交又は略直交する方向に延びる割り目を入れる第三殻割刃をさらに備えてもよい。
【００１６】
このようにすれば、第三殻割刃で、和胡桃の殻を第二殻割刃で分割した方向と異なる方向で分割するのに併せ、殻の内部にある隔壁の少なくとも厚みの厚い部分を分割できる。これにより、和胡桃の実が取り囲んだ隔壁がより細分化されるため、実と殻とを分離するのに併せ、実と隔壁とを容易に分離することができる。従って、上記構成の殻割器を用いることで、和胡桃の実を比較的大きな状態でより簡単に取り出すことができる。
【００１７】
これらの場合、第一殻割部は、複数の第一殻割刃を含み、複数の第一殻割刃のそれぞれは、所定位置に配置された和胡桃の周囲に配置されるとともに、所定位置に配置される和胡桃の殻の合わせ目と交差する方向に延びる刃先を有し、所定位置にある和胡桃の殻に押し付け可能に構成されてもよい。このようにすれば、複数の第一殻割刃が和胡桃の殻に押し付けられたときに、和胡桃の殻の複数個所で第一殻割刃の刃先に沿って割れ目ができる。和胡桃の殻は硬質であるため、複数個所のそれぞれの割れ目は、第一殻割刃の刃先の延びる方向に広がり、結果的に連続した状態になる。従って、和胡桃の殻が硬質であっても、その殻の全周又は略全周に亘って割れ目を確実に入れることができる。
【００１８】
本発明に係る和胡桃の殻割り方法は、先細りした頭頂部及び該頭頂部の反対側の尻部を有し且つ頭頂部と尻部との間で最大径となる殻であって、頭頂部及び尻部を通るように外周面上に合わせ目が形成されるとともに、尻部側の内周に接続されて合わせ目に対して交差する方向に延びる隔壁を含む殻と、隔壁を取り囲むように殻内に位置する実とを備えた和胡桃の殻割り方法において、和胡桃における殻の最大径となる位置よりも尻部側の位置で該殻の合わせ目に対して交差する方向に延びる割り目を殻の全周又は略全周に亘って入れる工程と、和胡桃における殻の頭頂部側に対して少なくとも合わせ目に沿った割り目を入れる工程とを含むことを特徴とする。
【００１９】
上記方法によれば、和胡桃における殻の最大径となる位置よりも尻部側の位置で該殻の合わせ目と交差する割り目を殻の全周又は略全周に亘って入れる工程により、和胡桃の殻を二分割するのに併せ、殻の内部にある隔壁の厚みの厚い部分と厚みの薄い部分とに分割できる。そして、和胡桃における殻の頭頂部側に対して少なくとも合わせ目に沿った割り目を入れる工程により、和胡桃における殻の最大径となる位置よりも尻部側の位置で該殻の合わせ目と交差する割り目を殻の全周又は略全周に亘って入れる工程で和胡桃の殻を分割する方向と異なる方向で殻を分割するのに併せ、殻の内部にある隔壁の少なくとも厚みの厚い部分を分割できる。これにより、和胡桃の実が殻の内部にある隔壁を取り囲んで存在していたとしても、実と殻とを分離するのに併せ、実と隔壁とを分離できる。従って、上記構成の殻割器を用いることで、和胡桃の実を比較的大きな状態で取り出すことができる。
【００２０】
本発明の一態様として、殻の頭頂部側に対して少なくとも合わせ目に対して直交又は略直交する方向に延びる割り目を入れる工程をさらに含んでもよい。このようにすれば、和胡桃の殻を細分化するのに併せ、殻の内部にある隔壁の少なくとも厚みの厚い部分も細分化できる。これにより、実と殻とを分離するのに併せ、実と隔壁とを容易に分離することができる。従って、上記構成の殻割器を用いることで、和胡桃の実を比較的大きな状態でより簡単に取り出すことができる。
【発明の効果】
【００２１】
以上のように、本発明は、和胡桃を対象に、内部の実を比較的大きな状態で取り出せるように殻を割ることができるという優れた効果を奏し得る。
【図面の簡単な説明】
【００２２】
【図１】図１は、和胡桃の概略全体斜視図である。
【図２】図２は、和胡桃の概略断面図であって、図１のＩＩ―ＩＩ断面図である。
【図３】図３は、和胡桃の概略断面図であって、図１のＩＩＩ―ＩＩＩ断面図である。
【図４】図４は、本発明の一実施形態に係る和胡桃用の殻割器の全体斜視図である。
【図５】図５は、図４のＶ−Ｖ断面図である。
【図６】図６は、図４のＶＩ−ＶＩ断面図である。
【図７】図７は、図５のＶＩＩ−ＶＩＩ断面図である。
【図８】図８は、同実施形態に係る和胡桃殻割器で和胡桃の殻を割る際の状態を示す。
【図９】図９は、同実施形態に係る和胡桃殻割器で和胡桃の殻を割る際の状態を示す。
【図１０】図１０は、同実施形態に係る和胡桃殻割器で和胡桃の殻を割る際の状態を示す。
【図１１】図１１は、同実施形態に係る和胡桃殻割器で和胡桃の殻を割る際の状態を示す。
【図１２】図１２は、同実施形態に係る和胡桃殻割器で和胡桃の殻を割る際の状態を示す。
【図１３】図１３は、同実施形態に係る和胡桃殻割器で和胡桃の殻を割る際の状態を示す。
【発明を実施するための形態】
【００２３】
以下、本発明の一実施形態について、添付図面を参照して説明する。
【００２４】
まず、和胡桃について概略説明する。図１に示す如く、和胡桃Ｗは、先細りした頭頂部Ｈ１及び該頭頂部Ｈ１の反対側の尻部Ｈ２を有し且つ頭頂部Ｈ１と尻部Ｈ２との間で最大径となる殻Ｓであって、頭頂部Ｈ１及び尻部Ｈ２を通るように外周面上に合わせ目ＪＬが形成された殻Ｓを備える。より具体的には、和胡桃Ｗは、図２及び図３に示す如く、尻部Ｈ２側の内周に接続された隔壁Ｂであって、合わせ目ＪＬに対して交差する方向（概ね直交する方向）に延びる（広がる）隔壁Ｂを含む殻Ｓと、隔壁Ｂを跨いだ状態で殻Ｓ内に位置する実Ｒとを含む。
【００２５】
殻Ｓは、二重壁である。すなわち、殻Ｓは、外部に露呈する外表面及び外表面の反対側の内表面を有する外壁Ｓ１と、外壁Ｓ１の内表面に対して間隔をあけて対向する内壁Ｓ２とを備える（図２参照）。これに伴い、和胡桃Ｗの殻Ｓは、外壁Ｓ１と内壁Ｓ２との間に空間を形成する。隔壁Ｂは、内壁Ｓ２に接続され、尻部Ｈ２側に存在する。
【００２６】
隔壁Ｂは、殻Ｓの尻部Ｈ２側から頭頂部Ｈ１側に延出し、合わせ目ＪＬと交差する方向に広がる。一般的に、隔壁Ｂは、合わせ目ＪＬに対して直交又は略直交する方向に延びる（広がる）。頭頂部Ｈ１側にある隔壁Ｂの先端部は、殻Ｓの最大径となる位置ＭＰと対応又は略対応する位置に存在する。この隔壁Ｂの先端部は、尻部Ｈ２側よりも厚肉になっている。
【００２７】
本実施形態に係る和胡桃用の殻割器（以下、単に殻割器という）は、和胡桃Ｗが上記構成を有することを前提としたもので、図４に示す如く、所定位置Ｐに配置された和胡桃Ｗにおける殻Ｓの最大径となる位置ＭＰよりも尻部Ｈ２側の位置で該殻Ｓの合わせ目ＪＬに対して交差する方向に延びる割り目を殻Ｓの全周又は略全周に亘って入れる第一殻割刃２０を含む第一殻割部２と、所定位置Ｐに配置された和胡桃Ｗにおける殻Ｓの頭頂部Ｈ１側に対して少なくとも合わせ目ＪＬに沿った割り目を入れる第二殻割刃３０を含む第二殻割部３とを備える。本実施形態において、殻割器１は、第一殻割部２と第二殻割部３とを連結する連結部４をさらに備える。
【００２８】
第一殻割部２は、図５及び図６に示す如く、第一殻割刃２０に加え、第一殻割刃２０を保持する第一刃物保持部２１と、第一刃物保持部２１を支持する第一本体部２２とを含む。
【００２９】
第一殻割部２は、複数の第一殻割刃２０…を含む。複数の第一殻割刃２０のそれぞれは、後述する第一刃物保持部２１の第一雄ネジ部材２１２を挿通する貫通穴（採番しない）を有する。また、複数の第一殻割刃２０…のそれぞれは、プレート状に形成され、外縁に直線状の刃先Ｅ１を有する。本実施形態において、第一殻割部２は、図６に示す如く、四つの第一殻割刃２０…を含む。四つの第一殻割刃２０…は、和胡桃Ｗを配置する領域（以下、配置領域という）Ｐの周囲に対して等間隔に配置される。これに伴い、四つの第一殻割刃２０…のうちの二つの第一殻割刃２０，２０は、配置領域Ｐを挟んで互いに対向し、四つの第一殻割刃２０…のうちの残りの二つの第一殻割刃２０，２０は、配置領域Ｐを挟んで互いに対向している。
【００３０】
第一殻割部２は、複数の第一刃物保持部２１…を含む。本実施形態において、第一殻割部２は、二つの第一刃物保持部２１，２１を含む。二つの第一刃物保持部２１，２１のそれぞれは、一方向（以下、第一方向という）に延びる。二つの第一刃物保持部２１，２１は、第一方向と直交する方向（以下、第二方向という）で並んで配置される。
【００３１】
二つの第一刃物保持部２１，２１のうちの一方の第一刃物保持部２１は、一定位置に固定される。本実施形態において、一方の第一刃物保持部２１は、第一本体部２２と一体的に構成される。これに対し、二つの第一保持部のうちの他方の第一刃物保持部２１は、第二方向（一方の第一刃物保持部２１と並ぶ方向）で移動可能に設けられる。すなわち、他方の第一刃物保持部２１は、一方の第一刃物保持部２１に対して接離可能に設けられる。
【００３２】
二つの第一刃物保持部２１，２１は、第一殻割刃２０を受ける第一保持部本体２１０と、第一保持部本体２１０上に配置された第一殻割刃２０を該第一殻割刃２０の厚み方向で第一保持部本体２１０とともに挟み込む第一刃物固定部材２１１と、第一保持部本体２１０と第一刃物固定部材２１１とを締結する第一雄ネジ部材２１２とを備える。本実施形態の第一刃物保持部２１において、第一保持部本体２１０は、第一雄ネジ部材２１２が螺合される第一ネジ穴（採番しない）を有し、第一刃物固定部材２１１は、第一雄ネジ部材２１２を挿通する第一貫通孔（採番しない）を有する。これにより、第一刃物保持部２１のそれぞれは、第一刃物固定部材２１１の第一貫通穴と第一殻割刃２０の貫通穴に挿通された第一雄ネジ部材２１２が第一保持部本体２１０の第一ネジ穴に螺合されることで、これらを一体的に締結し、第一殻割刃２０を固定する。
【００３３】
本実施形態において、二つの第一刃物保持部２１，２１のそれぞれは、二つの第一殻割刃２０，２０を保持する。各第一刃物保持部２１において、二つの第一殻割刃２０，２０は、第一方向（第一刃物保持部２１，２１自身の延びる方向）に並んで保持される。各第一刃物保持部２１において、二つの第一殻割刃２０，２０は、互いの刃先Ｅ１同士が直角又は略直角になるように配置される。
【００３４】
これにより、一方の第一刃物保持部２１に保持される一方の第一殻割刃２０の刃先Ｅ１は、他方の第一刃物保持部２１に保持される一方の第一殻割刃２０の刃先Ｅ１と直角又は略直角で且つ他方の第一刃物保持部２１に保持される他方の第一殻割刃２０の刃先Ｅ１と平行又は略平行になり、一方の第一刃物保持部２１に保持される他方の第一殻割刃２０の刃先Ｅ１は、他方の第一刃物保持部２１に保持される他方の第一殻割刃２０の刃先Ｅ１と直角又は略直角で且つ他方の第一刃物保持部２１に保持される一方の第一殻割刃２０の刃先Ｅ１と平行又は略平行になっている。
【００３５】
第一本体部２２は、一方の第一刃物保持部２１を支持する第一支持部２２０と、他方の第一刃物保持部２１を支持する第二支持部２２１と、第一支持部２２０と第二支持部２２１とを接続する接続部２２２と備える。
【００３６】
本実施形態において、第一支持部２２０は、一方の第一刃物保持部２１の一部と一体的になっている。すなわち、第一支持部２２０は、一方の第一刃物保持部２１の第一保持部本体２１０と一体的になっている。
【００３７】
第二支持部２２１は、第一支持部２２０に対して第二方向で間隔をあけて配置される。第二支持部２２１は、他方の第一刃物保持部２１が第二方向で移動可能となるように該他方の第一刃物保持部２１に受ける受面ＲＳを有する。また、第二支持部２２１は、一方の第一刃物保持部２１を第二方向で往復動可能に案内する第一案内部２２３を備える。
【００３８】
第一案内部２２３は、図７に示す如く、棒状の第一案内軸２２４と、第一案内軸２２４が挿通される第一貫通孔２２５ａを有する第一ガイド体２２５とを備える。第一案内軸２２４は、第二方向に延びる。これに伴い、第一貫通穴２２５ａは、第二方向に貫通している。第一案内軸２２４は、第二方向に先端と基端とを有し、第一案内軸２２４の先端は、他方の第一刃物保持部２１に連結される。これに対し、第一案内軸２２４の基端は、図示しない加圧手段（例えば、油圧シリンダのロッド）に連結される。本実施形態において。第一案内軸２２４の基端は、図示しない手動式油圧ポンプに接続された油圧シリンダのロッドに接続される。
【００３９】
本実施形態において、第一本体部２２は、二つの接続部２２２，２２２を有する。二つの接続部２２２，２２２は、第一方向に間隔をあけて配置され、第一支持部２００及び第二支持部２２１に接続されている。これにより、第一本体部２２において、第一支持部２２０、第二支持部２２１及び二つの接続部２２２，２２２に包囲された領域が、和胡桃Ｗを配置する配置領域（所定位置）Ｐとなっている。
【００４０】
図４及び図５に示す如く、第二殻割部３は、第一方向及び第二方向のそれぞれに対して直交する方向（以下、第三方向という）で第一殻割部２に対して間隔をあけて配置される。より具体的には、第二殻割部３は、第一殻割部２の第一本体部２２の配置領域（所定位置）Ｐに対して第三方向で間隔をあけて配置される。
【００４１】
これを前提に、第二殻割部３は、第二殻割刃３０に加え、第二殻割刃３０を保持する第二刃物保持部３１と、第二刃物保持部３１を支持する第二本体部３２とを含む。
【００４２】
第二殻割刃３０は、プレート状に形成される。第二殻割刃３０は、図５に示す如く、後述する第二刃物保持部３１の第二雄ネジ部材３１１を挿通する貫通穴（採番しない）を有する。第二殻割刃３０は、外縁に少なくとも一つの刃先Ｅ２を有する。本実施形態において、第二殻割刃３０は、直線状の刃先Ｅ２を二つ有する。二つの刃先Ｅ２，Ｅ２は、第三方向に延びる直線状の仮想線（図示しない）から先下りに傾斜し、該仮想線を基準にして対称的に配置されている。すなわち、第二殻割刃３０は、逆Ｖ字状の刃先Ｅ２，Ｅ２を有する。
【００４３】
第二殻割部３は、第二殻割刃３０の数に対応した数の第二刃物保持部３１を含む。本実施形態において、第二殻割部３は、一つの第二殻割刃３０を有するため、一つの第二刃物保持部３１を含む。第二刃物保持部３１は、第三方向に移動可能に設けられる。
【００４４】
第二刃物保持部３１は、第二殻割刃３０が重ね合わされて配置される第二保持部本体３１０と、第二殻割刃３０を第二保持部本体３１０に固定する第二雄ネジ部材３１１とを備える。本実施形態の第二刃物保持部３１において、第二保持部本体３１０は、第二雄ネジ部材３１１が螺合される第二ネジ穴（図示しない）を有する。第二刃物保持部３１は、第二殻割刃３０の貫通穴に挿通された第二雄ネジ部材３１１が第二保持部本体３１０の第二ネジ穴に螺合されることで、第二殻割刃３０を固定する。
【００４５】
第二刃物保持部３１は、第二殻割刃３０を該第二殻割刃３０の刃先Ｅ２を第一殻割部２側に向けて保持する。
【００４６】
第二本体部３２は、第二刃物保持部３１を第三方向で移動可能に支持する案内支持部３２０を備える。
【００４７】
案内支持部３２０は、棒状の第二案内軸３２１と、第二案内軸３２１が挿通される第二貫通穴３２２ａを有する第二ガイド体３２２とを備える。第二案内軸３２１は、第三方向に延びる。これに伴い、第二ガイド体３２２の第二貫通穴３２２ａは、第三方向に貫通する。第二案内軸３２１は、第三方向に先端と基端とを有する。第二案内軸３２１の先端には、第三方向に延びる軸線周り（当該第二案内軸３２１の中心線周り）で回転可能に第二刃物保持部３１が連結される。これに対し、第二案内軸３２１の基端は、図示しない加圧手段（例えば、油圧シリンダのロッド）に連結される。本実施形態において。第二案内軸３２１の基端は、図示しない手動式油圧ポンプに接続された油圧シリンダのロッドに接続される。
【００４８】
第二ガイド体３２２の第二貫通穴３２２ａは、第二案内軸３２１の断面形状に即した形状である。これにより、本実施形態の案内支持部３２０において、第二案内軸３２１は、自身の軸線方向に往復動可能である。そして、上述の如く、第二案内軸３２１の先端には、第三方向に延びる軸線周りで回転可能に第二刃物保持部３１が連結される。
【００４９】
これにより、本実施形態に係る案内支持部３２０では、第二刃物保持部３１（第二殻割刃３０）が第二案内軸３２１の軸線方向に往復動可能で且つ第三方向の延びる軸線周り（第二案内軸３２１の中心線周り）で回転可能に支持される。すなわち、第二殻割刃３０は、刃先Ｅ２が所定位置Ｐに配置された和胡桃Ｗの合わせ目ＪＬに沿った第一姿勢と、該刃先Ｅ２が所定位置Ｐに配置された和胡桃Ｗの合わせ目ＪＬと交差する方向に延びる第二姿勢とに姿勢変更可能に設けられるとともに、第一姿勢及び第二姿勢のそれぞれにおいて、配置領域（所定位置）Ｐに配置された和胡桃Ｗに対して押し付け可能に構成される。
【００５０】
本実施形態において、殻割器１は、図４に示す如く、二つの連結部４，４を有する。二つの連結部４，４のそれぞれは、第三方向に延びた柱状に形成される。二つの連結部４，４は、第一殻割部２における和胡桃Ｗの配置領域Ｐを挟んで第一方向に間隔をあけて配置される。この状態で、二つの連結部４，４のそれぞれは、第一殻割部２の第一本体部２２と第二殻割部３の第二本体部３２とに連結されている。
【００５１】
本実施形態の殻割器１は、以上の通りである。次に、殻割器１の使用方法（和胡桃Ｗの殻割り方法）について説明する。
【００５２】
まず、第一殻割部２の配置領域Ｐに殻割りの対象となる和胡桃Ｗを配置する。この際、図８に示す如く、和胡桃Ｗの殻Ｓの合わせ目ＪＬが第一殻割刃２０の刃先Ｅ１と直交又は略直交する方向に延び且つ和胡桃Ｗにおける殻Ｓの最大径となる位置ＭＰよりも尻部Ｈ２側の位置が第一殻割刃２０の刃先Ｅ１と対応するように、和胡桃Ｗを配置する。
【００５３】
この状態において、手動式油圧ポンプを駆動し、この手動油圧ポンプに接続された油圧シリンダのロッド（第一案内軸２２４に接続させたロッド）を推進させる。そうすると、第一案内軸２２４も油圧シリンダのロッドに追従し、第一案内軸２２４に接続された他方の第一刃物保持部２１が一方の第一刃物保持部２１に向けて推進する。
【００５４】
これにより、二つの第一刃物保持部２１，２１のそれぞれに保持された第一殻割刃２０が配置領域Ｐに配置された和胡桃Ｗの殻Ｓを挟み込む。そして、手動式油圧ポンプを駆動し続けると、図９に示す如く、四つの第一殻割刃２０…の刃先Ｅ１が和胡桃Ｗの殻Ｓに食い込む。
【００５５】
これに伴い、和胡桃Ｗの殻Ｓ（外壁Ｓ１及び内壁Ｓ２）は、第一殻割刃２０の刃先Ｅ１に沿って割れる。その結果、合わせ目ＪＬと直交又は略直交する方向に延びる割れ目が和胡桃Ｗの殻Ｓ（外壁Ｓ１及び内壁Ｓ２）の全周亘ってできる。すなわち、和胡桃Ｗの殻Ｓ（外壁Ｓ１及び内壁Ｓ２）が合わせ目ＪＬの延びる方向で二分割される。
【００５６】
また、和胡桃Ｗの殻Ｓ（外壁Ｓ１及び内壁Ｓ２）に第一殻割刃２０が食い込むと、その第一殻割刃２０の厚みにより、割れ目の両側にある殻Ｓが相反する方向に押し退けられる。そして、その押し退ける力は、殻Ｓの内部にある隔壁Ｂの先端部の付け根（厚みが厚くなる始点近傍）に集中的に作用する。
【００５７】
和胡桃Ｗの殻Ｓは、非常に硬い（弾性が乏しい）ため、上記のとおり、殻Ｓの内部にある隔壁Ｂの先端部の付け根（厚みが厚くなる始点近傍）に力が集中的に作用すると、隔壁Ｂが先端部の付け根で破断する。すなわち、殻Ｓの内部にある隔壁Ｂについても、殻Ｓ（外壁Ｓ１及び内壁Ｓ２）と同様に分割される。
【００５８】
この状態において、第一殻割刃２０は、和胡桃Ｗの殻Ｓの割れ目内に存在し、分割された殻Ｓのうちの頭頂部Ｈ１側を支持する。なお、和胡桃Ｗの実Ｒの割れを防止するには、第一殻割刃２０の刃先Ｅ１が和胡桃Ｒの実Ｒに到達する前（和胡桃Ｗの実Ｒに食い込み始める前）に第一殻割刃２０の推進を停止させることが好ましく、分割された殻Ｓのうちの頭頂部Ｈ１側を第一殻割刃２０で安定して支持させることを考慮すれば、第一殻割刃２０の刃先Ｅ１が和胡桃Ｒの実Ｒに到達する直前に第一殻割刃２０の推進を停止させることが好ましい。
【００５９】
そして、図１０に示す如く、第二殻割部３の第二殻割刃３０の姿勢を、該第二殻割側３０の刃先Ｅ２を和胡桃Ｗの殻Ｓの合わせ目ＪＬに沿わせた第一姿勢にする。その上で、手動式油圧ポンプを駆動し、この手動油圧ポンプに接続された油圧シリンダのロッド（第二案内軸３２１に接続させたロッド）を推進させる。そうすると、第二案内軸３２１も油圧シリンダのロッドに追従し、第二案内軸３２１に接続された第二刃物保持部３１が配置領域Ｐ内の和胡桃Ｗに向けて推進する。
【００６０】
これにより、第二刃物保持部３１に保持された第二殻割刃３０が配置領域Ｐに配置された和胡桃Ｗの殻Ｓ（第一殻割刃２０に支持された殻Ｓ）に対して合わせ目ＪＬに沿った状態で当接する。
【００６１】
そして、手動式油圧ポンプを駆動し続けると、図１１に示す如く、第二殻割刃３０の二つの刃先Ｅ２が和胡桃Ｗの殻Ｓに食い込む。これに伴い、和胡桃Ｗの殻Ｓは、第二殻割刃３０の刃先Ｅ２に沿って割れ、結果的に合わせ目ＪＬに沿った割れ目ができる。すなわち、和胡桃Ｗの殻Ｓが合わせ目ＪＬの延びる方向と直交又は略直交する方向で二分割される。また、和胡桃Ｗの殻Ｓに第二殻割刃３０が食い込むと、その第二殻割刃３０の厚みにより、割れ目の両側にある殻Ｓが相反する方向に押し退けられる。
【００６２】
そして、その押し退ける力は、殻Ｓの内部にある分割された隔壁Ｂの先端部に集中的に作用する。和胡桃Ｗの殻Ｓは、非常に硬い（弾性が乏しい）ため、上記のとおり、殻Ｓの内部にある隔壁Ｂの先端部に力が集中的に作用すると、隔壁Ｂの先端部が先に分断された方向と直交又は略直交する方向で分断（破断）する。
【００６３】
すなわち、殻Ｓの内部にある隔壁Ｂの先端部についても、殻Ｓと同様に分割される。
【００６４】
この状態において、和胡桃Ｗの実Ｒが巻きこむ隔壁Ｂが内部で破砕或いは破断しているため、殻Ｓと実Ｒの分離が分離し易い状態となる。しかし、本実施形態においては、さらに殻Ｓと実Ｒとを容易に分離できる状態にし得る。
【００６５】
具体的には、和胡桃Ｗの殻Ｓを合わせ目ＪＬに沿って割れ目を入れた後、手動式油圧ポンプで油圧シリンダのロッドを退避させ、第二殻割刃３０を和胡桃Ｗから離間させる。そして、図１２に示す如く、第二殻割部３の第二殻割刃３０の姿勢を、該第二殻割刃３０の刃先Ｅ２を和胡桃Ｗの殻Ｓの合わせ目ＪＬに対して直交又は略直交する方向に合わせた第二姿勢にする。その上で、手動式油圧ポンプを駆動し、この手動油圧ポンプに接続された油圧シリンダのロッド（第二案内軸３２１に接続させたロッド）を推進させる。そうすると、第二案内軸３２１も油圧シリンダのロッドに追従し、第二案内軸３２１に接続された第二刃物保持部３１が配置領域Ｐ内の和胡桃Ｗに向けて推進する。
【００６６】
これにより、第二刃物保持部３１に保持された第二殻割刃３０が配置領域Ｐに配置された和胡桃Ｗの殻Ｓ（第一殻割刃２０に支持された殻Ｓ）に対して合わせ目ＪＬと直交又は略直交する方向に沿った状態で当接する。
【００６７】
そして、手動式油圧ポンプを駆動し続けると、図１３に示す如く、第二殻割刃３０の二つの刃先Ｅ２が和胡桃Ｗの殻Ｓに食い込む。これに伴い、和胡桃Ｗの殻Ｓは、第二殻割刃３０の刃先Ｅ２に沿って割れる。その結果、合わせ目ＪＬと直交又は略直交する方向に延びる割れ目ができる。すなわち、和胡桃Ｗの殻Ｓが合わせ目ＪＬの延びる方向で二分割される。また、和胡桃Ｗの殻Ｓに第二殻割刃３０が食い込むと、その第二殻割刃３０の厚みにより、割れ目の両側にある殻Ｓが相反する方向に押し退けられる。
【００６８】
そして、破断等をした隔壁Ｂの先端部が殻Ｓの内面に繋がっている場合、その押し退ける力は、殻Ｓと隔壁Ｂの先端部との境界に集中的に作用する。和胡桃Ｗの殻Ｓは、非常に硬い（弾性が乏しい）ため、上記のとおり、殻Ｓの内部にある隔壁Ｂの先端部に力が集中的に作用すると、隔壁Ｂの先端部が殻Ｓから分断（破断）される。
【００６９】
このように、隔壁Ｂが破断或いは破砕された状態になるため、実Ｒから殻Ｓを引き剥がすときに、殻Ｓに実Ｒがついて行くことが抑制される。従って、上記殻割器１（殻割り方法）を採用することで、比較的大きな実Ｒを取り出すことができる。
【００７０】
以上のように、殻割器１は、所定位置Ｐに配置された和胡桃Ｗにおける殻Ｓの最大径となる位置ＭＰよりも尻部Ｈ２側の位置で該殻Ｓの合わせ目ＪＬに対して交差する方向に延びる割り目を殻Ｓの全周又は略全周に亘って入れる第一殻割刃２０を含む第一殻割部２と、所定位置Ｐに配置された和胡桃Ｗにおける殻Ｓの頭頂部Ｈ１側に対して少なくとも合わせ目ＪＬに沿った割り目を入れる第二殻割刃３０を含む第二殻割部３とを備える。
【００７１】
上記構成の殻割器１によれば、第一殻割部２において、第一殻割刃２０で和胡桃Ｗの殻Ｓを二分割するのに併せ、殻Ｓの内部にある隔壁Ｂの厚みの厚い部分と厚みの薄い部分とに分割できる。さらに、第二殻割部３において、第二殻割刃３０で、和胡桃Ｗの殻Ｓを第一殻割部２で分割する方向と異なる方向で分割するのに併せ、殻Ｓの内部にある隔壁Ｂの少なくとも厚みの厚い部分を分割できる。これにより、和胡桃Ｗの実Ｒが殻Ｓの内部にある隔壁Ｂを取り囲んで存在していたとしても、実Ｒと殻Ｓとを分離するのに併せ、実Ｒと隔壁Ｂとを分離できる。従って、上記構成の殻割器１を用いることで、和胡桃Ｗの実Ｒを比較的大きな状態で取り出すことができる。
【００７２】
本実施形態において、第二殻割刃３０は、直線状の刃先Ｅ２を有し、該刃先Ｅ２が所定位置Ｐに配置された和胡桃Ｗの合わせ目ＪＬに沿った第一姿勢と、該刃先Ｅ２が所定位置Ｐに配置された和胡桃Ｗの合わせ目ＪＬと交差する方向に延びる第二姿勢とに姿勢変更可能に設けられるとともに、第一姿勢及び第二姿勢のそれぞれにおいて、所定位置Ｐに配置された和胡桃Ｗに対して押し付け可能に構成される。
【００７３】
これにより、本実施形態に係る殻割器１は、第二殻割部３において、第一姿勢の第二殻割刃３０で、和胡桃Ｗの殻Ｓを第一殻割部２で分割した方向と異なる方向で分割するのに併せ、殻Ｓの内部にある隔壁Ｂの少なくとも厚みの厚い部分を分割できる。また、本実施形態に係る殻割器１は、第二殻割部３において、第二姿勢の第二殻割刃３０で、和胡桃Ｗの殻Ｓを第一姿勢の第二殻割刃３０で分割した方向と異なる方向で分割するのに併せ、殻Ｓの内部にある隔壁Ｂの少なくとも厚みの厚い部分を分割できる。これにより、和胡桃Ｗの実Ｒが取り囲んだ隔壁Ｂがより細分化されるため、実Ｒと殻Ｓとを分離するのに併せ、実Ｒと隔壁Ｂとを容易に分離できる。従って、上記構成の殻割器１を用いることで、和胡桃Ｗの実Ｒを比較的大きな状態でより簡単に取り出すことができる。
【００７４】
また、本実施形態において、第一殻割部２は、複数の第一殻割刃２０…を含み、複数の第一殻割刃２０…のそれぞれは、所定位置Ｐに配置された和胡桃Ｗの周囲に配置されるとともに、所定位置Ｐに配置される和胡桃Ｗの殻Ｓの合わせ目ＪＬと交差する方向に延びる刃先Ｅ１を有し、所定位置Ｐにある和胡桃Ｗの殻Ｓに押し付け可能に構成されている。このようにすることで、複数の第一殻割刃２０…が和胡桃Ｗの殻Ｓに押し付けられたときに、和胡桃Ｗの殻Ｓの複数個所で第一殻割刃２０…の刃先Ｅ１に沿って割れ目ができる。和胡桃Ｗの殻Ｓは硬質であるため、複数個所のそれぞれの割れ目は、第一殻割刃２０…の刃先Ｅ１の延びる方向に広がり、結果的に連続した状態になる。従って、和胡桃Ｗの殻Ｓが硬質であっても、その殻Ｓの全周又は略全周に亘って割れ目を確実に入れることができる。
【００７５】
そして、殻割り方法は、和胡桃Ｗにおける殻Ｓの最大径となる位置ＭＰよりも尻部Ｈ２側の位置で該殻Ｓの合わせ目ＪＬに対して交差する方向に延びる割り目を殻Ｓの全周又は略全周に亘って入れる工程と、和胡桃Ｗにおける殻Ｓの頭頂部Ｈ１側に対して少なくとも合わせ目ＪＬに沿った割り目を入れる工程とを含む。
【００７６】
上記方法によれば、和胡桃Ｗにおける殻Ｓの最大径となる位置ＭＰよりも尻部Ｈ２側の位置で該殻Ｓの合わせ目ＪＬに対して交差する方向に延びる割り目を殻Ｓの全周又は略全周に亘って入れる工程により、和胡桃Ｗの殻Ｓを二分割するのに併せ、殻Ｓの内部にある隔壁Ｂの厚みの厚い部分と厚みの薄い部分とに分割できる。そして、和胡桃Ｗにおける殻Ｓの頭頂部Ｈ１側に対して少なくとも合わせ目ＪＬに沿った割り目を入れる工程により、和胡桃Ｗにおける殻Ｓの最大径となる位置ＭＰよりも尻部Ｈ２側の位置で該殻Ｓの合わせ目ＪＬに対して交差する方向に延びる割り目を殻Ｓの全周又は略全周に亘って入れる工程で和胡桃Ｗの殻Ｓを分割する方向と異なる方向で殻Ｓを分割するのに併せ、殻Ｓの内部にある隔壁Ｂの少なくとも厚みの厚い部分を分割できる。これにより、和胡桃Ｗの実Ｒが殻Ｓの内部にある隔壁Ｂを取り囲んで存在していたとしても、実Ｒと殻Ｓとを分離するのに併せ、実Ｒと隔壁Ｂとを分離できる。従って、上記構成の殻割器１を用いることで、和胡桃Ｗの実Ｒを比較的大きな状態で取り出すことができる。
【００７７】
そして、本実施形態において、殻Ｓの頭頂部Ｈ１側に対して少なくとも合わせ目ＪＬに対して直交又は略直交する方向に延びる割り目を入れる工程をさらに含んでいるため、和胡桃Ｗの殻Ｓを細分化するのに併せ、殻Ｓの内部にある隔壁Ｂの少なくとも厚みの厚い部分も細分化できる。これにより、実Ｒと殻Ｓとを分離するのに併せ、実Ｒと隔壁Ｂとを容易に分離できる。従って、上記構成の殻割器１を用いることで、和胡桃Ｗの実Ｒを比較的大きな状態でより簡単に取り出すことができる。
【００７８】
なお、本発明は、上記実施形態に限定されるものではなく、本発明の要旨を逸脱しない範囲において、適宜変更を加え得ることは勿論である。
【００７９】
例えば、上記実施形態において、第二殻割刃３０は、直線状の刃先Ｅ２を有し、該刃先Ｅ２が所定位置Ｐに配置された和胡桃Ｗの合わせ目ＪＬに沿った第一姿勢と、該刃先Ｅ２が所定位置Ｐに配置された和胡桃Ｗの合わせ目ＪＬと交差する方向に延びる第二姿勢とに姿勢変更可能に設けられるとともに、第一姿勢及び第二姿勢のそれぞれにおいて、所定位置Ｐに配置された和胡桃Ｗに対して押し付け可能に構成されたが、これに限定されない。例えば、第二殻割刃３０が和胡桃Ｗの合わせ目ＪＬに沿った割り目のみを入れる構成とされた上で、殻Ｓの頭頂部Ｈ１側に対して少なくとも合わせ目ＪＬに対して直交又は略直交する方向に延びる割り目を入れる第三の殻割刃をさらに備えてもよい。このようにしても、上記実施形態の第二殻割部３において、第二殻割刃３０を第二姿勢にしたのと同様の作用及び効果を得ることができる。
【００８０】
上記実施形態において、第一殻割刃２０及び第二殻割刃３０のそれぞれの刃先Ｅ１，Ｅ２が直線状に形成されたが、これに限定されない。例えば、第一殻割刃２０及び第二殻割刃３０の少なくとも何れか一方の刃先Ｅ１，Ｅ２は、円弧状に形成されてもよい。また、第一殻割刃２０及び第二殻割刃３０の少なくとも何れか一方は、回転刃で構成されてもよい。但し、和胡桃Ｗの殻Ｓを分割する際に、割れ目を境にして殻Ｓを押し退ける必要があるため、第一殻割刃２０及び第二殻割刃３０のそれぞれは、和胡桃Ｗの殻Ｓに食い込む可能であり且つ殻Ｓに食い込んだときに殻Ｓを押し退けることのできる厚みを有することが前提である。
【００８１】
上記実施形態において、第一殻割部２は、複数の第一殻割刃２０…を含んだが、例えば、上記の通り、第一殻割刃２０に回転刃が採用された場合には、該第一殻割刃２０を和胡桃Ｗの周囲で移動可能に設けられれば、第一殻割刃２０は一つであってもよい。
【００８２】
上記実施形態において、第一殻割部２の第一殻割刃２０を油圧シリンダ（手動式油圧ポンプ）の駆動で移動させたが、これに限定されない。例えば、機械的に第一殻割刃２０を移動させるようにしてもよい。なお、和胡桃Ｗの殻Ｓは非常に硬いため、第一殻割刃２０を移動させる構成については、第一殻割り場に必要な推進力を作用させ得るものが好ましく、上記実施形態のように油圧で駆動することがより好ましい。この点、第二殻割部３も同様である。
【００８３】
上記実施形態において、和胡桃Ｗにおける殻Ｓの最大径となる位置ＭＰよりも尻部Ｈ２側の位置で該殻Ｓの合わせ目ＪＬと直交又は略直交する割り目を殻Ｓの全周又は略全周に亘って入れたが、これに限定されない。例えば、和胡桃Ｗにおける殻Ｓの最大径となる位置ＭＰよりも尻部Ｈ２側の位置で該殻Ｓの合わせ目ＪＬに対して交差する方向に延びる割り目（合わせ目ＪＬに対して傾斜する方向に延びる割れ目）を殻Ｓの全周又は略全周に亘って入れてもよい。
【００８４】
上記実施形態において、第一殻割刃２０を含む第一殻割部２と第二殻割刃３０を含む第二殻割部３とを備えた殻割器１を用いたが、本発明に係る和胡桃の殻割り方法は、上記構成の殻割器１を用いた方法に限定されない。例えば、第一殻割刃２０に想到する刃を有する器具と、この器具と異なる器具であって、第二殻割刃３０に想到する刃を有する器具とを用いてもよい。また、単一の刃を有する単一の器具（工具）を用い、その器具の刃で第一殻割刃２０及び第二殻割刃３０によって得られる割れ目と同様の割れ目入れるようにしてもよい。
【００８５】
上記実施形態で特に言及しなかったが、殻割器１は、和胡桃Ｗを配置領域（所定位置）Ｐに配置した状態で、該和胡桃Ｗ全体を受ける受台を備えてもよい。この場合、第一殻割刃２０で殻Ｓに割り目を入れた後に第一殻割刃２０を退避させ、その状態で受台に支持された和胡桃Ｗに対して第二殻割刃３０で割り目を入れてもよい。なお、このようにすると、第二殻割刃３０による殻Ｓに対する押し付け力（圧縮力）が尻部Ｈ２側の殻Ｓにも作用することになり、この尻部Ｈ２側の殻Ｓが無造作に割れる可能性が高まるため、上記実施形態のように、第一殻割刃２０で頭頂部Ｈ１側の殻Ｓを支持した状態で、第二殻割刃３０で殻Ｓに割り目を入れることが好ましい。
【符号の説明】
【００８６】
１…殻割器（和胡桃用の殻割器）、２…第一殻割部、３…第二殻割部、４…連結部、２０…第一殻割刃、２１…第一刃物保持部、２２…第一本体部、３０…第二殻割刃、３１…第二刃物保持部、３２…第二本体部、２１０…第一保持部本体、２１１…第一刃物固定部材、２１２…第一雄ネジ部材、２２０…第一支持部、２２１…第二支持部、２２２…接続部、２２３…第一案内部、２２４…第一案内軸、２２５…第一ガイド体、２２５ａ…第一貫通孔、３１０…第二保持部本体、３１１…第二雄ネジ部材、３２０…案内支持部、３２１…第二案内軸、３２２…第二ガイド体、３２２ａ…第二貫通穴、Ｂ…隔壁、Ｅ１，Ｅ２…刃先、Ｈ１…頭頂部、Ｈ２…尻部、ＪＬ…合わせ目、ＭＰ…最大径となる位置、Ｐ…配置領域（所定位置）、Ｒ…実、ＲＳ…受面、Ｓ…殻、Ｓ１…外壁、Ｓ２…内壁、Ｗ…和胡桃
【図１】
2018196482.tif 000003
【図２】
2018196482.tif 000004
【図３】
2018196482.tif 000005
【図４】
2018196482.tif 000006
【図５】
2018196482.tif 000007
【図６】
2018196482.tif 000008
【図７】
2018196482.tif 000009
【図８】
2018196482.tif 000010
【図９】
2018196482.tif 000011
【図１０】
2018196482.tif 000012
【図１１】
2018196482.tif 000013
【図１２】
2018196482.tif 000014
【図１３】
2018196482.tif 000015